(57)【要約】【課題】切裂片を別途処分する作業を不要とするとともに、被収容物が手指に付着することなく、被収容物をスムーズに取り出すことができる包装袋を提供する。【解決手段】包装袋１は、シール部２と、収容部３と、ノッチ４と、右シール部２ｃに設けられ、ノッチ４の他端部４ｂの側面が収容部３の内部空間３ａと連通して開口部１０が開口するようにノッチ４から右シール部２ｃに向かって切り裂いたときに形成される切裂部１１と連通し、切裂部１１の切り裂き方向と直交し、下端部５ｅが開口部１０の開口方向と逆方向に向かって延出され、上端部５ｄ及び下端部５ｅの側面が外部空間Ａと非連通となるスリット５とを備え、ノッチ４から右シール部２ｃに向かって切り裂いたとき、切裂部１１によって分離された切裂片１２がスリット５によって分離された切込片１３の一端部１３ａと連結され、切込片１３の他端部１３ｂが右シール部２ｃと連結される。【選択図】図２
2018197112.tif 000002
【特許請求の範囲】
【請求項１】
２枚のシートを重畳し、外縁部を封着して設けられるシール部と、
前記シール部の内周側に設けられ、被収容物が収容される内部空間を有する収容部と、
一端部の側面が外部空間と連通し、他端部の側面が前記収容部の内部空間と非連通となるように前記シール部の一側部に設けられる開封口と、
前記シール部の一側部と対向する他側部に設けられると共に、基端部及び先端部が前記外部空間と非連通となるように設けられる切込部と、を備え
前記切込部は、
前記開封口が前記収容部の内部空間と連通し前記シール部に開口部が形成されるように前記開封口から前記シール部の他側部に向かって切り裂かれる方向と交差するように設けられ、
前記開封口が前記収容部の内部空間と連通し前記シール部に開口部が形成されるように前記開封口から前記シール部の他側部に向かって切り裂かれた際、前記シール部より分離され前記開口部より離間される切裂片が、当該切込部によって前記シール部より分離され前記開口部より離間される切込片の一端部と連結するように設けられ、
前記切込片の他端部は、前記シール部に連結されてなる包装袋。
【請求項２】
前記切込部の先端部が、前記シール部の他側部の先端部から、該シール部の他側部の先端部に隣接する側部に折れ曲がるように延出され、
前記切込片の他端部は、前記シール部の他側部の先端部に隣接する側部に連結されてなる請求項１に記載の包装袋。
【発明の詳細な説明】
【技術分野】
【０００１】
本発明は、医薬品、食品、化粧品等の被収容物が収容される包装袋に関する。
【背景技術】
【０００２】
従来の包装袋は、医薬品、食品、化粧品等の被収容物を分包、個装するために、例えば、樹脂フィルム等の２枚のシートを重畳し、外縁部を熱溶着（ヒートシール）等によって密閉して封着したシール部を有する軟包装であって、シール部の一側部には、被収容物を取り出す開口部が上側に開口するように、シール部の他側部に向かって切り裂く開封口が形成されている。この種の包装袋では、開封口からシール部の他側部に向かって切り裂くことによって切裂片が分離され、分離された切裂片を別途処分する作業が必要となることから、上側のシール部に、切裂片の切り裂きの進行を中途位置で停止するためのストッパを設けることによって、開封口からシール部の他側部に向かって切り裂いたとき、切裂片が上側のシール部に連結され、切裂片が分離されないようにしたものが知られている（特許文献１参照）。
【先行技術文献】
【特許文献】
【０００３】
【特許文献１】特開２００９−２５５９５９号公報
【発明の概要】
【発明が解決しようとする課題】
【０００４】
しかしながら、上記の包装袋は、開封口からシール部の他側部に向かって切り裂いたとき、切裂片が上側のシール部に連結されているから、上側に開口する開口部から被収容物を取り出すとき、被収容物が上側のシール部に連結された切裂片に接触することとなり、もって、被収容物が切裂片を伝って手指に付着したり、被収容物をスムーズに取り出したりすることができないという問題があった。
【０００５】
本発明は、上述の事情に鑑み、切裂片を別途処分する作業を不要とすることができるとともに、被収容物が手指に付着することなく、被収容物をスムーズに取り出すことができる包装袋を提供することを目的としている。
【課題を解決するための手段】
【０００６】
上記目的を達成するための手段を図面の参照符号を付して示せば、請求項１の発明に係る包装袋１は、
２枚のシートを重畳し、外縁部を封着して設けられるシール部２と、
前記シール部２の内周側に設けられ、被収容物Ｐが収容される内部空間３ａを有する収容部３と、
左端部４ａ（一端部）の側面が外部空間Ａと連通し、右端部４ｂ（他端部）の側面が前記収容部３の内部空間３ａと非連通となるように
前記シール部の一側部に設けられる開封口と、左シール部２ｂ（シール部２の一側部）に設けられるノッチ４（開封口）と、
前記左シール部２ｂ（シール部２の一側部）と対向する右シール部２ｃ（シール部２の他側部）に設けられると共に、上端部５ｄ（基端部）及び下端部５ｅ（先端部）が前記外部空間Ａと非連通となるように設けられるスリット５（切込部）と、を備え、
前記スリット５（切込部）は、
前記ノッチ４（開封口）が前記収容部３の内部空間３ａと連通し前記シール部２に開口部１０が形成されるように前記ノッチ４（開封口）から前記右シール部２ｃ（シール部２の他側部）に向かって切り裂かれる方向と交差するように設けられ、
前記ノッチ４（開封口）が前記収容部３の内部空間３ａと連通し前記シール部２に開口部１０が形成されるように前記ノッチ４（開封口）から前記右シール部２ｃ（シール部２の他側部）に向かって切り裂かれた際、前記シール部２より分離され前記開口部１０より離間される切裂片１２が、当該スリット５（切込部）によって前記シール部２より分離され前記開口部１０より離間される切込片１３の一端部１３ａと連結するように設けられ、
前記切込片の他端部１３ｂは、前記シール部２に連結されてなることを特徴としている。
【０００７】
請求項２の発明は、上記請求項１の包装袋１において、前記スリット５（切込部）の下端部５ｅ（先端部）が、前記右シール部２ｃ（シール部２の他側部）の下端部２ｃ２（先端部）から、該右シール部２ｃ（シール部２の他側部）の下端部２ｃ２（先端部）に隣接する下シール部２ｄ（シール部２の他側部の先端部に隣接する側部）に折れ曲がるように延出され、
前記切込片１３の他端部１３ｂは、前記右シール部２ｃの下端部２ｃ２（先端部）に隣接する下シール部２ｄ（シール部２の他側部の先端部に隣接する側部）に連結されてなることを特徴としている。
【発明の効果】
【０００８】
以下に、本発明の効果について、図面の参照符号を付して説明する。請求項１の発明に係る包装袋１に係るスリット５（切込部）は、ノッチ４（開封口）が収容部３の内部空間３ａと連通するようにノッチ４（開封口）から右シール部２ｃ（シール部２の他側部）に向かって切り裂かれる方向と交差し、ノッチ４（開封口）が収容部３の内部空間３ａと連通し、シール部２に開口部１０が形成されるようにノッチ４（開封口）から右シール部２ｃ（シール部２の他側部）に向かって切り裂かれた際、シール部２より分離され開口部１０より離間される切裂片１２が、当該スリット５（切込部）によってシール部２より分離され開口部１０より離間される切込片１３の一端部１３ａと連結するように設けられている。そして、切込片１３の他端部１３ｂは、シール部２に連結されている。これにより、切裂片１２が、切込片１３を介して、シール部２と連結されるから、切裂片１２を別途処分する作業を不要とすることができるとともに、切裂片１２が、切込片１３とともに、開口部１０より離間することとなるから、開口部１０から被収容物Ｐを取り出すとき、被収容物Ｐが切裂片１２に接触することがなくなり、もって、被収容物Ｐが手指に付着することなく、被収容物Ｐをスムーズに取り出すことができる。
【０００９】
請求項２の発明によれば、スリット５（切込部）の下端部５ｅ（先端部）が、右シール部２ｃの下端部２ｃ２（先端部）から右シール部２ｃの下端部２ｃ２（先端部）に隣接する下シール部２ｄ（シール部２の他側部の先端部に隣接する側部）に折れ曲がるように延出され、切込片１３の他端部１３ｂは、その下シール部２ｄ（シール部２の他側部の先端部に隣接する側部）に連結されているから、切裂片１２が開口部１０に対してさらに遠方に離間することとなり、もって、開口部１０から被収容物Ｐを取り出すとき、被収容物Ｐが切裂片１２にさらに接触することがなくなる。これにより、被収容物Ｐが手指にさらに付着することなく、被収容物Ｐをさらにスムーズに取り出すことができる。
【図面の簡単な説明】
【００１０】
【図１】本発明の一実施形態に係る包装袋を例示する平面図である。
【図２】同実施形態に係る包装袋から被収容物を取り出す手順を（ａ）〜（ｃ）の順に例示する斜視図である。
【図３】同実施形態の変形例に係る包装袋を例示する平面図である。
【図４】同実施形態の別の変形例に係る包装袋を例示する平面図である。
【図５】同実施形態のさらに別の変形例に係る包装袋を例示する平面図である。
【図６】同実施形態のさらに別の変形例に係る包装袋を例示する平面図である。
【発明を実施するための形態】
【００１１】
以下に、本発明に係る包装袋の一実施形態について、図面を参照して具体的に説明する。なお、以下の説明において、上下左右の方向を示す場合は、図示正面から見た場合の上下左右をいうものとする。
【００１２】
図１に示すように、本実施形態に係る包装袋１は、医薬品、食品、化粧品、洗剤、トイレタリ用品、衛生用品等の粉体、粒体、固体（固形物）、液体などの被収容物Ｐを分包、個装するために、矩形状の２枚のシートを重畳し、矩形状の四辺の外縁部を熱溶着（ヒートシール）によって密閉して封着する四方シールの軟包装である。そして、この包装袋１に収容される被収容物Ｐは、例えば、醤油、ソース、ドレッシング、ケチャップ、マヨネーズ、ジャム、シロップ等の調味料、健康食品、栄養補助食品（サプリメント）等の液体（エマルション（乳濁液）、サスペンション（懸濁液）、ゾル、ゲル等のコロイド分散系を含む）である。
【００１３】
ところで、このような包装袋１は、図１に示すように、２枚のシート（図示せず）を重畳し、外縁部を封着して設けられるシール部２と、シール部２の内周側に設けられ、被収容物Ｐが収容される内部空間３ａを有する収容部３と、左端部４ａの側面が外部空間Ａと連通し、右端部４ｂの側面が収容部３の内部空間３ａと非連通となるノッチ４と、スリット５と、を備えている。
【００１４】
シール部２は、例えば、アルミニウム等の金属フィルムが積層（ラミネート）されたポリエチレン（ＰＥ）、ポリプロピレン（ＰＰ）、ポリオレフィン（ＰＯ）等の樹脂フィルムからなる矩形状の２枚のシート（図示せず）を重畳し、矩形状の四辺の外縁部を熱溶着（ヒートシール）によって密閉して封着する四方シール部分である。このようなシール部２は、図１に示すように、上側に設けられた上シール部２ａと、左側に設けられた左シール部２ｂと、左シール部２ｂと対向するように右側に設けられた右シール部２ｃと、上シール部２ａと対向するように下側に設けられた下シール部２ｄと、で構成されている。そして、左シール部２ｂの上端部２ｂ１は、上シール部２ａの左端部と連結され、左シール部２ｂの下端部２ｂ２は、下シール部２ｄの左端部と連結されている。そしてさらに、右シール部２ｃの上端部２ｃ１は、上シール部２ａの右端部と連結され、右シール部２ｃの下端部２ｃ２は、下シール部２ｄの右端部と連結されている。
【００１５】
かくして、上記のように構成されるシール部２は、上シール部２ａ、左シール部２ｂ、右シール部２ｃ、下シール部２ｄの隣り合う端部において連結されており、この結果、ロ字形状をなしている。また、このようなシール部２は、上シール部２ａ、左シール部２ｂ、右シール部２ｃ、下シール部２ｄの幅が同一となるように形成されており、滑らかに連続する形状となっている。
【００１６】
収容部３は、図１に示すように、矩形状の２枚のシート（図示せず）を重畳し、矩形状の四辺の外縁部を熱溶着（ヒートシール）によって密閉して封着したシール部２を形成するとき、シール部２の内周側に密閉された内部空間３ａが形成されるものであって、内部空間３ａには、例えば、調味料、健康食品、栄養補助食品（サプリメント）等の液体からなる被収容物Ｐが収容されている。また、この収容部３は、外形がシール部２の矩形状の外形と相似形状となるように矩形状に形成されるとともに、各頂点が丸められた形状となっている。
【００１７】
ノッチ４は、図１に示すように、左シール部２ｂの上端部２ｂ１よりもやや下方位置に設けられた開封口（切り口、破り口）であって、左シール部２ｂの外周部分に位置する左端部４ａから左シール部２ｂの中間部分に位置する右端部４ｂに向かって右方向にまっすぐに延びるＩノッチ（直線状の切り込み）にて形成されている。このようなノッチ４は、左端部４ａの側面が外部空間Ａと連通し、右端部４ｂの側面が収容部３の内部空間３ａと非連通となるように形成されている。すなわち、ノッチ４の切り込みが収容部３の内部空間３ａに到達しないように形成されている。
【００１８】
スリット５は、図１に示すように、右シール部２ｃの下端部２ｃ２から下シール部２ｄに左方向に折れ曲がるように形成された１本の切り込みからなる切込部である。より詳しく説明すると、このスリット５は、右シール部２ｃの上端部２ｃ１から下端部２ｃ２に向かって下方向にまっすぐに延びる直線部５ａと、下シール部２ｄの右端部において左方向にまっすぐに延びる直線部５ｂと、直線部５ａの下端部と直線部５ｂとの右端部とを滑らかに連結するアール形状の湾曲部５ｃと、直線部５ａの上端部に大径かつ円形となるように形成された上端部５ｄと、直線部５ｂの左端部に大径かつ円形となるように形成された下端部５ｅと、を有している。しかして、このようなスリット５は、上端部５ｄ、直線部５ａ、湾曲部５ｃ、直線部５ｂ、下端部５ｅの順に連続して延出される１本の切り込みであって、収容部３の外周部に近接するとともに、収容部３の外形に沿うように所定の間隔をあけて、逆Ｌ字形状となるように延出されているものである。
【００１９】
ところで、このように形成されるスリット５は、図２（ａ）に示すように、ノッチ４の右端部４ｂの側面が収容部３の内部空間３ａと連通して開口部１０が開口するようにノッチ４から右シール部２ｃに向かって右方向に切り裂いたとき切裂部１１が形成されるが、その切裂部１１と連通する連通部５ｆが右シール部２ｃの上端部２ｃ１よりもやや下方位置となる直線部５ａに設けられている。より詳しく説明すると、直線部５ａは、図２（ａ）に示すように、切裂部１１の切り裂き方向（右方向）と直交しており、連通部５ｆから開口部１０の開口方向（上方向）に向かって右シール部２ｃの上端部２ｃ１に延出され、連通部５ｆから開口部１０の開口方向と逆方向（下方向）に向かって右シール部２ｃの下端部２ｃ２に延出されている。そして、直線部５ａの上端部は、大径かつ円形となるように形成された上端部５ｄに接続され、直線部５ａの下端部は、下シール部２ｄの右端部に左方向に折れ曲がる湾曲部５ｃの上端部が接続されている。そしてさらに、湾曲部５ｃ左端部は、直線部５ｂの右端部に接続され、直線部５ｂの左端部は、大径かつ円形となるように形成された下端部５ｅに接続されている。なお、上端部５ｄ及び下端部５ｅは、側面が外部空間Ａと非連通、スリット５（直線部５ａ，５ｂ）の切り込みが外部空間Ａに到達しないように形成されており、スリット５（直線部５ａ，５ｂ）の切り込みの進行を抑制するように形成されている。
【００２０】
かくして、上記のように構成される包装袋１から被収容物Ｐを取り出すにあたっては、図２（ａ）〜（ｃ）に示すように取り出される事となる。
【００２１】
すなわち、まず、図２（ａ）に示すように、左シール部２ｂに設けられているノッチ４から右シール部２ｃに向かって右方向に切り裂いて切裂部１１を形成すると、ノッチ４の右端部４ｂの側面と切裂部１１の左端部１１ａの側面とが連通することとなる。これにより、ノッチ４の右端部４ｂの側面が収容部３の内部空間３ａと連通し、シール部２の上部側（以下、切裂片１２と言う）がシール部２より完全に分離され、開口部１０が上方向に開口することとなる。一方、切裂部１１の右端部１１ｂの側面は、スリット５の連通部５ｆの側面と連通し、もって、切裂部１１とスリット５の直線部５ａとが連通することとなる。
【００２２】
次いで、図２（ｂ）に示すように、切裂部１１とスリット５の直線部５ａとが連通すると、スリット５の直線部５ａによって、シール部２の右部側（以下、切込片１３と言う）がシール部２より分離される。このとき、切裂片１２は、スリット５の直線部５ａによって分離された切込片１３の一端部１３ａと連結される。この際、切込片１３の他端部１３ｂは、右シール部２ｃの下端部２ｃ２と連結されると共に、右シール部２ｃの下端部２ｃ２に隣接する下シール部２ｄと連結されることとなる。これにより、切込片１３はシール部２より完全に分離されないこととなる。そして、これによって、切裂片１２は、切込片１３とともに、開口部１０の開口方向と逆方向（下方向）に向かって分離することとなる。
【００２３】
次いで、図２（ｃ）に示すように、切裂片１２を、切込片１３とともに、開口部１０の開口方向と逆方向（図２（ｃ）の右上方向）に向かって分離した状態で、開口部１０を、図２（ｃ）の左下方向に開口するように傾けると、収容部３の内部空間３ａに収容された被収容物Ｐが、開口部１０から取り出されることとなる。かくして、このようにして、包装袋１から被収容物Ｐを取り出すことができる。
【００２４】
しかして、以上説明した本実施形態によれば、包装袋１のスリット５は、ノッチ４の右端部４ｂの側面が収容部３の内部空間３ａと連通するようにノッチ４から右シール部２ｃに向かって右方向に切り裂かれる方向と直交し、ノッチ４の右端部４ｂの側面が収容部３の内部空間３ａと連通し、シール部２に開口部１０が形成されるようにノッチ４から右シール部２ｃに向かって切り裂かれた際、シール部２より分離され開口部１０より離間される切裂片１２が、当該スリット５によってシール部２より分離され開口部１０より離間される切込片１３の一端部１３ａと連結するように設けられている。そして、切込片１３の他端部１３ｂは、シール部２に連結されている。これにより、切裂片１２が、切込片１３を介して、シール部２と連結されるから、切裂片１２を別途処分する作業を不要とすることができるとともに、切裂片１２が、切込片１３とともに、開口部１０より離間することとなるから、開口部１０から被収容物Ｐを取り出すとき、被収容物Ｐが切裂片１２に接触することがなくなり、もって、被収容物Ｐが手指に付着することなく、被収容物Ｐをスムーズに取り出すことができる。
【００２５】
また、本実施形態によれば、スリット５の下端部５ｅが、右シール部２ｃの下端部２ｃ２から右シール部２ｃの下端部２ｃ２に隣接する下シール部２ｄに折れ曲がるように延出され、切込片１３の他端部１３ｂは、その下シール部２ｄに連結されているから、切裂片１２が開口部１０に対してさらに遠方に離間することとなり、もって、開口部１０から被収容物Ｐを取り出すとき、被収容物Ｐが切裂片１２にさらに接触することがなくなる。これにより、被収容物Ｐが手指にさらに付着することなく、被収容物Ｐをさらにスムーズに取り出すことができる。
【００２６】
なお、本実施形態にて示した形状・寸法等はあくまで例示であり、特許請求の範囲に記載された本発明の要旨の範囲内において、種々の変形・変更が可能である。
【００２７】
例えば、本実施形態では、包装袋１の熱溶着（ヒートシール）の態様として、四方シールを例示したが、これに限らず、三方シール、二方シール、スティック包装、ピロー包装等の対向するシール部２を熱溶着（ヒートシール）するものであってもよい。また、包装袋１の溶着方法は、熱溶着（ヒートシール）に限らず、高周波溶着、超音波溶着等であってもよい。また、本実施形態では、包装袋１として、アルミニウム等の金属フィルムが積層（ラミネート）されたポリエチレン（ＰＥ）、ポリプロピレン（ＰＰ）、ポリオレフィン（ＰＯ）等の樹脂フィルム等の２枚のシートを重畳した軟包装を例示したが、これに限らず、ポリエチレン（ＰＥ）、ポリプロピレン（ＰＰ）、ポリオレフィン（ＰＯ）等の樹脂フィルム等の２枚のシートを重畳したレトルトパウチ、スタンディングパウチ等の軟包装であってもよい。また、本実施形態では、包装袋１に収容される被収容物Ｐとして、調味料、健康食品、栄養補助食品（サプリメント）等の液体を例示したが、これに限らず、散剤（粉薬）、細粒剤、顆粒剤、錠剤、カプセル剤、タブレット等の医薬品、野菜、果物、魚肉、惣菜、菓子、インスタント食品、レトルト食品、フリーズドライ食品（お茶漬け、お吸い物、スープ等）、ふりかけ、かやく、からし、わさび、かつお節、刻みのり、だし、砂糖、バター、マスタード等の食品、化粧水、乳液、美容液、クリーム等の化粧品、洗濯用洗剤、台所用洗剤等の洗剤、シャンプー、ボディソープ、リンス、入浴剤等のトイレタリ用品、絆創膏、綿棒、マスク等の衛生用品など、粉体、粒体、固体（固形物）、液体であってもよい。
【００２８】
また、本実施形態では、ノッチ４として、Ｉノッチを例示したが、これに限らず、Ｕノッチ、Ｖノッチ、ベースノッチ（亀甲ノッチ、ＵＶノッチ）であってもよい。なお、開封口は、ノッチ４に限らず、ミシン目等の切り取り線（弱め線）、表面に非貫通の微細孔を多数形成する易開封性加工（傷痕加工、例えば、マジックカット（登録商標））するものであってもよい。
【００２９】
さらにまた、本実施形態では、スリット５として、直線部５ａが、切裂部１１の切り裂き方向と直交するものを例示したが、これに限らず、切裂部１１の切り裂き方向と交差するものであってもよい。さらにまた、本実施形態では、スリット５として、上端部５ｄ及び下端部５ｅが、大径かつ円形となるものを例示したが、これに限らず、直線部５ａ，５ｂと同径となるものであってもよい。なお、切込部は、スリット５に限らず、ミシン目等の切り取り線（弱め線）であってもよい。
【００３０】
さらにまた、本実施形態では、スリット５として、右シール部２ｃの下端部２ｃ２から下シール部２ｄに左方向に折れ曲がるように形成された１本の切り込みからなるものを例示したが、これに限らず、例えば、図３に示すように、右シール部２ｃのみに形成された直線状のスリット５であってもよい。また、図４に示すように、右シール部２ｃの下端部２ｃ２から下シール部２ｄに左方向に折れ曲がるように形成された切り込みと、左シール部２ｂの下端部２ｂ２から下シール部２ｄに右方向に折れ曲がるように形成された切り込みと、を有する２本の切り込みからなるスリット５であってもよい。さらにまた、図５に示すように、右シール部２ｃの下端部２ｃ２から下シール部２ｄに左方向に折れ曲がるように形成された切り込みと、左シール部２ｂの上端部２ｂ１から上シール部２ａに右方向に折れ曲がるように形成された切り込みと、を有する２本の切り込みからなるスリット５であってもよい。さらにまた、図６に示すように、右シール部２ｃの上端部２ｃ１から上シール部２ａに左方向に折れ曲がるとともに、右シール部２ｃの下端部２ｃ２から下シール部２ｄに左方向に折れ曲がるように形成された切り込みと、左シール部２ｂの上端部２ｂ１から上シール部２ａに右方向に折れ曲がるとともに、左シール部２ｂの下端部２ｂ２から下シール部２ｄに右方向に折れ曲がるように形成された切り込みと、を有する２本の切り込みからなるスリット５であってもよい。
【符号の説明】
【００３１】
１          包装袋
２          シール部
２ａ        上シール部
２ｂ        左シール部（シール部の一側部）
２ｂ１      上端部
２ｂ２      下端部
２ｃ        右シール部（シール部の他側部）
２ｃ１      上端部
２ｃ２      下端部（先端部）
２ｄ        下シール部（シール部の他側部の先端部に隣接する側部）
３          収容部
３ａ        内部空間
４          ノッチ（開封口）
４ａ        左端部（一端部）
４ｂ        右端部（他端部）
５          スリット（切込部）
５ａ，５ｂ  直線部
５ｄ        上端部（基端部）
５ｅ        下端部（先端部）
５ｆ        連通部
５ｃ        湾曲部
１０        開口部
１１        切裂部
１１ａ      左端部
１１ｂ      右端部
１２        切裂片
１３        切込片
１３ａ      一端部
１３ｂ      他端部
Ａ          外部空間
Ｐ          被収容物
【図１】
2018197112.tif 000003
【図２】
2018197112.tif 000004
【図３】
2018197112.tif 000005
【図４】
2018197112.tif 000006
【図５】
2018197112.tif 000007
【図６】
2018197112.tif 000008